(57)【要約】      （修正有）【課題】軽量で運搬や移動が容易で、さらに不要になった場合にも容易に廃棄処分やリサイクルすることができる組立家具用箱型ユニットを提供する。【解決手段】組立家具用箱型ユニット１０の箱体１１は段ボールで立体形状に形成されている。この箱体１１の内部には紙で立体形状に形成されたハニカム体６０が収容されている。このハニカム体６０のハニカムコア６１には箱体１１の高さ方向に沿って貫通孔６２が形成されている。また、このハニカムコア６１の上面と下面には前記貫通孔６２を塞ぐ面板紙６３がそれぞれ接着されている。箱体１１の正面板の外側面にはマジックテープ（登録商標）が複数貼付されている。箱体１１の第１背面板１６の外側面と第２背面板２３の外側面にはマジックテープ（登録商標）６５が複数枚づつ貼付されている。【選択図】図３
0003156973.tif 000002
【実用新案登録請求の範囲】
【請求項１】
紙で形成された箱体と、この箱体の内側面に密着当接した状態で内蔵された紙製のハニカム体と、前記箱体の第１面の外側面に設けられた第１着脱体と、前記箱体の第２面の外側面に設けられた第２着脱体と、を有することを特徴とする組立家具用箱型ユニット。
【請求項２】
紙で形成された箱体と、この箱体の内側面に密着して内蔵された紙製のハニカム体と、このハニカム体のハニカムコアの両面にハニカムコアの貫通孔を塞ぐよう接着されると共に前記箱体の第１面の内側面及び前記箱体の第２面の内側面と接着された面板紙と、前記箱体の第１面の外側面に取り付けられた第１着脱体と、前記箱体の第２面の外側面に取り付けられた第２着脱体と、を有することを特徴とする組立家具用箱型ユニット。
【請求項３】
段ボールで形成された箱体と、この箱体の内側面に密着して内蔵された紙製のハニカム体と、このハニカム体のハニカムコアに前記箱体の高さ方向に沿って形成された複数の貫通孔と、前記ハニカム体のハニカムコアの両面に前記貫通孔を塞ぐよう接着されると共に前記箱体の第１面の内側面及び前記箱体の第２面の内側面と接着された面板紙と、前記箱体の第１面の外側面に取り付けられた第１着脱体と、前記箱体の第２面の外側面に取り付けられた第２着脱体と、を有することを特徴とする組立家具用箱型ユニット。
【請求項４】
前記ハニカム体を複数重ねた状態で前記箱体に内蔵したことを特徴とする請求項１、請求項２、請求項３記載の組立家具用箱型ユニット。
【考案の詳細な説明】
【技術分野】
【０００１】
本考案は、主に組立式家具を製造する場合に使用される組立家具用箱型ユニットに関する。
【背景技術】
【０００２】
従来より積木を積み立てて形成される家具やその構成部材が提案されている（特許文献１）。
しかし、この構成部材は木材で形成されているために強度は強いが、重くて硬いため当該部材や当該部材で組み立てた家具を運搬したり移動したりする場合は労力がいる。
また、当該部材を誤って足等に落下させたり、あるいは当該部材で組み立てた家具を誤って倒したり、誤って強く当たったりした場合は怪我をするおそれがある。
さらに、当該部材は木製であるために廃棄処分に手間がかかると共にリデュース、リユース、リサイクルしにくいという不具合がある。
【先行技術文献】
【特許文献】
【０００３】
【特許文献１】特開平８−２３８１４８号公報
【考案の概要】
【考案が解決しようとする課題】
【０００４】
本考案は、上記事実に鑑みなされたものであり、軽量であると共に誤って足等に落下させても怪我をするおそれがなく、さらに不要になった場合にも容易に処分することができると共にリデュース、リユース、リサイクルすることができる組立家具用箱型ユニットを提供するものである。
【課題を解決するための手段】
【０００５】
請求項１の考案は、紙で形成された箱体と、この箱体の内側面に密着当接した状態で内蔵された紙製のハニカム体と、前記箱体の第１面の外側面に設けられた第１着脱体と、前記箱体の第２面の外側面に設けられた第２着脱体と、を有することを特徴としている。
請求項２の考案は、紙で形成された箱体と、この箱体の内側面に密着して内蔵された紙製のハニカム体と、このハニカム体のハニカムコアの両面にハニカムコアの貫通孔を塞ぐよう接着されると共に前記箱体の第１面の内側面及び前記箱体の第２面の内側面と接着された面板紙と、前記箱体の第１面の外側面に取り付けられた第１着脱体と、前記箱体の第２面の外側面に取り付けられた第２着脱体と、を有することを特徴としている。
請求項３の考案は、段ボールで形成された箱体と、この箱体の内側面に密着して内蔵された紙製のハニカム体と、このハニカム体のハニカムコアに前記箱体の高さ方向に沿って形成された複数の貫通孔と、前記ハニカム体のハニカムコアの両面に前記貫通孔を塞ぐよう接着されると共に前記箱体の第１面の内側面及び前記箱体の第２面の内側面と接着された面板紙と、前記箱体の第１面の外側面に取り付けられた第１着脱体と、前記箱体の第２面の外側面に取り付けられた第２着脱体と、を有することを特徴としている。
請求項４の考案は、前記ハニカム体を複数重ねた状態で前記箱体に内蔵したことを特徴としている。
【考案の効果】
【０００６】
本考案の組立家具用箱型ユニットは、紙製の箱体の内部にはハニカム体が配設されているので、軽量でありながら強度が強いという優れた効果を有する。
本考案の組立家具用箱型ユニットは、着脱体を介して安定して積み重ねることができるので、色々なタイプの家具を容易に製造することができると共にリデュース、リユース、リサイクルすることができるという優れた効果を有する。
本考案の組立家具用箱型ユニットは、家具を製造しても紙製であるために誤って組み立てた家具が倒れたり、誤って組み立てた家具に強く当たったりしても怪我をするおそれがないという優れた効果を有する。
本考案の組立家具用箱型ユニットは、紙製であるので廃棄処分が容易であると共に容易にリデュース、リユース、リサイクルすることができるという優れた効果を有する。
本考案の組立家具用箱型ユニットは、紙製であるので子供でも安全かつ簡単に家具を自由に製造することができるので子供教育に役立つという優れた効果を有する。
【図面の簡単な説明】
【０００７】
【図１】実施例のシングルブロックタイプの組立家具用箱型ユニットの全体斜視図である。
【図２】実施例のシングルブロックタイプの組立家具用箱型ユニットの箱体の展開図である。
【図３】実施例のシングルブロックタイプの組立家具用箱型ユニットの一部分解斜視図である。
【図４】実施例のダブルブロックタイプの組立家具用箱型ユニットの一部分解斜視図である。
【図５】実施例の組立家具用箱型ユニットを使用して製造した机の斜視図である。
【図６】実施例の組立家具用箱型ユニットを使用して製造した机の斜視図である。
【図７】実施例の組立家具用箱型ユニットを使用して製造した棚付き机の斜視図である。
【図８】実施例の組立家具用箱型ユニットの平面圧縮試験結果を示す図である。
【考案を実施するための形態】
【０００８】
考案を実施するために最良の形態の例として以下のような実施例を示す。
【実施例１】
【０００９】
図１〜図８には本考案に係る組立家具用箱型ユニットの一実施例が示されている。なお、実施例では組立家具用箱型ユニットを利用して机を製造する場合を例にして説明する。
図１にはシングルブロックタイプの組立家具用箱型ユニット１０の全体図が示されている。実施例ではシングルブロックタイプの組立家具用箱型ユニット１０は幅寸法Ｗが２００ｍｍ、長さ寸法Ｌが３００ｍｍ、高さ寸法Ｔが９６ｍｍと設定されている。この組立家具用箱型ユニット１０の箱体１１は段ボールで立体形状に形成されている。
図２には前記箱体１１が展開図で示されている。この箱体１１の正面板１２の一側部には第１折線１３を介して第１側面板１４が設けられている。この第１側面板１４には第２折線１５を介して第１背面板１６が設けられている。
前記箱体１２の正面板１２の他側部には第３折線２０を介して第２側面板２１が設けられている。この第２側面板２１には第４折線２２を介して第２背面板２３が設けられている。
前記正面板１２の一端部には第５折線２４を介して第１蓋板２５が設けられている。この第１蓋板２５には第６折線２６を介して第１蓋板舌片２７が設けられている。
第１蓋板２５の一端部には第７折線３０を介して第１蓋板折返片３１が設けられ、第１蓋板２５の他端部には第８折線３２を介して第２蓋板折返片３３が設けられている。
前記第１側面板１４の一端部には第９折線３４を介して第１中蓋板３５が設けられ、前記第２側面板２１の一端部には第１０折線３６を介して第２中蓋板３７が設けられている。
前記正面板１２の他端部には第１１折線４０を介して第２蓋板４２が設けられている。この第２蓋板４２には第１２折線４３を介して第２蓋板舌片４４が設けられている。
第２蓋板４２の一端部には第１３折線４５を介して第３蓋板折返片４６が設けられ、第２蓋板４２の他端部には第１４折線４７を介して第４蓋板折返片４８が設けられている。
前記第１側面板１４の他端部には第１５折線５０を介して第３中蓋板５１が設けられ、前記第２側面板２１の他端部には第１６折線５２を介して第４中蓋板５３が設けられている。
図２及び図３に示されるように、前記第１背面板１６と第２背面板２３の一端部には前記第１蓋板舌片２７が対応できるようにそれぞれ第１切欠部５４が形成され、第１背面板１６と第２背面板２３の他端部には前記第２蓋板舌片４４が対応できるようにそれぞれ第２切欠部５５が形成されている。
図３に示されるように、前記箱体１１の内部には紙で立体形状に形成されたハニカム体６０が収容されている。このハニカム体６０のハニカムコア６１には箱体１１の高さ方向に沿って貫通孔６２が多数形成されている。また、このハニカムコア６１の上面と下面には前記貫通孔６２を塞ぐ面板紙６３がそれぞれ接着されている。
前記面板紙６３は前記正面板１２の内側面及び前記第１背面板、第２背面板２１の内側面と接着剤としてのホットメルトで接着されている。また、前記ハニカムコア６１の両側面は前記第１側面板１４、第２側面板２１の内側面とホットメルトで接着されている。これにより、ハニカム体６０は箱体１１に内蔵されると共に箱体１１と密着状態で接着されている。
図１に示されるように、前記箱体１１の第１面としての正面板１２の外側面には円形状に形成された第１着脱体としての厚みの極めて薄いマジックテープ（登録商標）６４が複数（実施例では６枚）貼付されている。このマジックテープ（登録商標）６４の表面には微小のフック部６４Ａが多数形成され、マジックテープ（登録商標）６４の裏面には接着剤が塗布されている。従って、マジックテープ（登録商標）６４は接着剤を介して前記正面板１２に貼付されている。
図３に示されるように、前記箱体１１の第２面としての第１背面板１６の外側面と第２面としての第２背面板２３の外側面には円形状に形成された第２着脱体としての厚みの極めて薄いマジックテープ（登録商標）６５が複数枚（実施例では３枚）づつ貼付されている。
このマジックテープ（登録商標）６５の表面には微小のループ部６５Ａが多数形成されている。このループ部６５Ａと前記フック部６４Ａは着脱可能となっている。前記マジックテープ（登録商標）６５の裏面には接着剤が塗布されている。従って、マジックテープ（登録商標）６５は接着剤を介して第１背面板１６、第２背面板２３に貼付されている。なお、マジックテープ（登録商標）６５の複数の一部を第１背面板１６、第２背面板２３と第１蓋板舌片２７及び第１背面板１６、第２背面板２３と第２蓋板舌片４４に跨るようにして貼付することにより第１蓋板舌片２７、第２蓋板舌片４４が捲れ難いようにしている。
従って、前記組立家具用箱型ユニット１０を重ねると下の組立家具用箱型ユニット１０のマジックテープ（登録商標）６４と上の組立家具用箱型ユニット１０のマジックテープ（登録商標）６５が連結するので組立家具用箱型ユニット１０を安定した状態で積み重ねることができ、家具を製造するのに最適なユニットである。
上記構成の組立家具用箱型ユニット１０は紙製であるため軽量であり、箱体１１の内部にはハニカム体６０が密着状態で箱体１１と接着されているので強度が強く家具を製造するのに最適なユニットである。
【００１０】
図４にはダブルブロックタイプの組立家具用箱型ユニット７０が示されている。
この組立家具用箱型ユニット７０は箱体１１の内部にハニカム体６０を２個積層して形成されている。また、前記ハニカム体６０とハニカム体６０の間には紙製の薄い仕切紙７１が配設されている。
このダブルブロックタイプの組立家具用箱型ユニット７０はハニカム体６０を２個積層したので高さ寸法Ｔは、シングルブロックタイプの前記組立家具用箱型ユニット１０の高さ寸法Ｔの約２倍となっているが他の構成はシングルブロックタイプの前記組立家具用箱型ユニット１０と同一である。
【００１１】
なお、シングルブロックタイプの組立家具用箱型ユニット１０と同一の構成で長さ寸法Ｌを長くすることにより板状のシングルボードタイプの組立家具用箱型ユニット７２（図５、図６、図７参照）やダブルブロックタイプの組立家具用箱型ユニット７０と同一の構成で長さ寸法Ｌを長くすることにより板状のダブルボードタイプの組立家具用箱型ユニット（図示せず）を形成しても良いことは勿論である。
【００１２】
前記組立家具用箱型ユニット１０、７０、７２を使用して組立式家具を製造する場合を説明する。
図５に示されるように、机８０を製造する場合は組立家具用箱型ユニット７０の上に組立家具用箱型ユニット１０を載置して第１脚部８１と第２脚部８２を形成し、第１脚部８１と第２脚部８２の上に組立家具用箱型ユニット７２を載置することにより机８０が製造される。
図６に示されるように、机８３を製造する場合は組立家具用箱型ユニット７０を３個づつ載置して第１脚部８４と第２脚部８５を形成し、第１脚部８４と第２脚部８５の上に組立家具用箱型ユニット７２を載置することにより机８３が製造される。
図７に示されるように、棚付き机９０を製造する場合は組立家具用箱型ユニット７０を３個を載置して第１脚部９１と第２脚部９２を形成し、第１脚部９１と第２脚部９２の上に組立家具用箱型ユニット７２を載置する。
また、組立家具用箱型ユニット７２の上に組立家具用箱型ユニット７０を２個載置して第３脚部９３を形成し、組立家具用箱型ユニット７０を３個載置した上に組立家具用箱型ユニット１０を１個載置し、組立家具用箱型ユニット１０の上に組立家具用箱型ユニット７０を２個載置して第４脚部９４を形成する。そして、第３脚部９３と第４脚部９４の上に組立家具用箱型ユニット７２を載置することにより棚付き机９０が製造される。
なお、前記机８０、机８３、棚付き机９０を使用する場合は、前記組立家具用箱型ユニット７２の上にデスクマット（図示せず）を敷くことによりマジックテープ（登録商標）６４の存在は気にならない。
【００１３】
上記机８０、机８３、棚付き机９０は組立家具用箱型ユニット１０、７０、７２を密着状態で積み重ねて製造されているので紙製であっても強度が強いため家具としての耐久性を十分に備えていると共に軽量であるため運搬や移動が容易である。
また、上記机８０、机８３、棚付き机９０は軽量であるため誤って倒れたり、あるいは子供等が強く当たったりしても怪我をするおそれがない。
前記組立家具用箱型ユニット１０、７０、７２は紙製であるので廃棄処分が容易であると共に前記机８０、机８３、棚付き机９０はマジックテープ（登録商標）６４，６５を介して組立家具用箱型ユニット１０、７０、７２を安定して積み重ねて製造されているので再び組立家具用箱型ユニット１０、７０、７２を分離したりすることにより廃棄処分し易いと共に容易にリデュース、リユース、リサイクルすることができる。
さらに、前記組立家具用箱型ユニット１０、７０、７２及び前記机８０、机８３、棚付き机９０は上記利点を有しているので資源の無駄を減少させると共に地球環境にもやさしいという性質を有する。
また、組立家具用箱型ユニット１０、７０、７２は子供が安心して積み重ねて色々な形状の家具等を自ら簡単に製造することができるので、子供の創造力を広げたり創造力が発達する等子供教育にも大いに役立たせることができる。
さらに、組立家具用箱型ユニット１０、７０、７２は積み重ねて組立家具用箱型ユニット１０、７０、７２を製造するため、使用する子供の成長に合わせて最適な大きさの机を製造することができ、従来のように使用に適さなくなった大きさの机を廃棄して机を新たに買い替えしなくても済むので経済的かつ資源の無駄使いを無くすことができる。
なお、組立家具用箱型ユニット１０、７０、７２はレイアウトを頻繁に行うオフィス等においても人数や部屋の大きさ等に応じて机、テーブル、棚等のレイアウト変更を容易に行うことがきる。
【００１４】
図８には組立家具用箱型ユニット１０、７０、７２と組立家具用箱型ユニットを使用して製作した机８０、机８３、棚付き机９０の平面圧縮試験結果が示されている。これにより、組立家具用箱型ユニット１０、７０、７２及び机８０、机８３、棚付き机９０の強度が強いことを実証できる。
試験品（１）
シングルブロックタイプの組立家具用箱型ユニット１０（幅寸法Ｗが２００ｍｍ、長さ寸法Ｌが３００ｍｍ、高さ寸法Ｔが９６ｍｍ）に平面圧縮試験を行ったところ、７５００Ｎの圧力を加えたところで箱体１１が破壊され始め、１８１００Ｎの圧力を加えたところでハニカム体６０が破壊され始めた。
試験品（２）
ダブルブロックタイプの組立家具用箱型ユニット７０（幅寸法Ｗが２００ｍｍ、長さ寸法Ｌが３００ｍｍ、高さ寸法Ｔが１９２ｍｍ）に平面圧縮試験を行ったところ、８０００Ｎの圧力を加えたところで箱体１１が破壊され始め、１７８００Ｎの圧力を加えたところでハニカム体６０が破壊され始めた。
試験品（３）
シングルボードタイプの組立家具用箱型ユニット７２（幅寸法Ｗが２００ｍｍ、長さ寸法Ｌが６００ｍｍ、高さ寸法Ｔが９６ｍｍ）に平面圧縮試験を行ったところ、１６２００Ｎの圧力を加えたところで箱体１１が破壊され始め、３４５００Ｎの圧力を加えたところでハニカム体６０が破壊され始めた。
試験品（４）
ダブルボードタイプの組立家具用箱型ユニット（幅寸法Ｗが２００ｍｍ、長さ寸法Ｌが６００ｍｍ、高さ寸法Ｔが１９２ｍｍ）に平面圧縮試験を行ったところ、１６３００Ｎの圧力を加えたところで箱体１１が破壊され始め、３３０００Ｎの圧力を加えたところでハニカム体６０が破壊され始めた。
試験品（５）
幅寸法Ｗが６００ｍｍ、長さ寸法Ｌが１２００ｍｍ、高さ寸法Ｔが９６ｍｍの組立式家具用箱体ユニットに平面圧縮試験を行ったところ、本試験機の測定最大値である５００００Ｎでも箱体１１、ハニカム体６０は破壊されず測定不能であった。
試験品（６）
図５に示す机８０の中央部に幅１００ｍｍの角木材を載置して圧縮試験を行ったところ、１６００Ｎ以上の圧力を加えたところで机８０のハニカム体６０が破壊され始めた。
試験品（７）
図６に示す机８３の中央部に幅１００ｍｍの角木材を載置して圧縮試験を行ったところ、１３００Ｎ以上の圧力を加えたところで机８３のハニカム体６０が破壊され始めた。
試験品（８）
図７に示す棚付き机９０の中央部に幅１００ｍｍの角木材を載置して圧縮試験を行ったところ、４００Ｎ以上の圧力を加えたところで棚付き机９０のハニカム体６０が破壊され始めた。
【００１５】
なお、実施例では組立家具として机を製造した場合を示したが組立家具は机に限定されるものでなく整理棚、下駄箱、パーテーション等机以外のものを製造してもよいことは勿論である。
また、貼付されるマジックテープ（登録商標）６４，６５の数や位置は実施例に示された数や位置に限定されるものでないことは勿論である。
なお、実施例では第１着脱体、第２着脱体としてマジックテープ（登録商標）を示したがマジックテープ（登録商標）に限定されるものでなく、着脱可能なものであれば他の面テープや他の部材でもよいことは勿論である。
【産業上の利用可能性】
【００１６】
本考案の組立家具用箱型ユニットは一般家庭だけでなく、図書館、学校、オフィス、イベント会場等、色々な分野に使用することができる。
【符号の説明】
【００１７】
１０    組立家具用箱型ユニット
１１    箱体
１２    正面板
１４    第１側面板
１６    第１背面板
２１    第２側面板
２３    第２背面板
２５    第１蓋板
２７    第１蓋板舌片
３１    第１蓋板折返片
３３    第２蓋板折返片
３５    第１中蓋板
３７    第２中蓋板
４２    第２蓋板
４４    第２蓋板舌片
４６    第３蓋板折返片
４８    第４蓋板折返片
５１    第３中蓋板
５３    第４中蓋板
５４    第１切欠部
５５    第２切欠部
６０    ハニカム体
６１    ハニカムコア
６２    貫通孔
６３    面板紙
６４    マジックテープ（登録商標）
６５    マジックテープ（登録商標）
【図１】
0003156973.tif 000003
【図２】
0003156973.tif 000004
【図３】
0003156973.tif 000005
【図４】
0003156973.tif 000006
【図５】
0003156973.tif 000007
【図６】
0003156973.tif 000008
【図７】
0003156973.tif 000009
【図８】
0003156973.tif 000010
【手続補正書】
【提出日】平成21年11月18日(2009.11.18)
【手続補正１】
【補正対象書類名】実用新案登録請求の範囲
【補正対象項目名】請求項４
【補正方法】変更
【補正の内容】
【請求項４】
前記ハニカム体を複数重ねた状態で前記箱体に内蔵したことを特徴とする請求項１〜請求項３のいずれか１項に記載の組立家具用箱型ユニット。